(57)【要約】【課題】マルチディスプレイを効率的に実現することができるディスプレイスタンド及びそれを用いたマルチディスプレイを提供する。【解決手段】本実施の形態にかかるディスプレイスタンド１０は、ディスプレイスタンド本体１１と、該ディスプレイスタンド本体１１に図示しない回転手段により回転自在に取付けられ、ディスプレイを支持する支持アーム１２と、該支持アーム１２に所定間隔を持って配設され、ディスプレイを保持する少なくとも２以上のディスプレイ保持部１３と、からなり、ディスプレイを支持アームに取付けてマルチディスプレイを提供することができる。【選択図】      図１
2004191601.tif 000002
【特許請求の範囲】
【請求項１】
ディスプレイスタンド本体と、
該ディスプレイスタンド本体に回動自在に取付けられ、ディスプレイを支持する支持アームと、
該支持アームに所定間隔を持って配設され、ディスプレイを保持する少なくとも２以上のディスプレイ保持部と、
からなることを特徴とするディスプレイスタンド。
【請求項２】
請求項１において、
上記ディスプレイスタンドが基台に立設されてなることを特徴とするディスプレイスタンド。
【請求項３】
請求項１において、
上記ディスプレイスタンドが移動自在の基台に立設されてなることを特徴とするディスプレイスタンド。
【請求項４】
請求項１乃至３のいずれか１つにおいて、
上記ディスプレイ保持部が接近離反可能であることを特徴とするディスプレイスタンド。
【請求項５】
請求項１乃至４のいずれか１つにおいて、
上記ディスプレイ保持部がジョイントアームを介して支持アームから支持されていることを特徴とするディスプレイスタンド。
【請求項６】
請求項１乃至５のいずれか１つにおいて、
上記支持アームが回転軸を中心として鉛直軸方向に昇降自在であることを特徴とするディスプレイスタンド。
【請求項７】
請求項１乃至６のいずれか１つにおいて、
上記支持アームが回転軸方向と同軸方向に移動自在であることを特徴とするディスプレイスタンド。
【請求項８】
請求項２乃至７のいずれか１つにおいて、
上記ディスプレイスタンド本体が支持アームの回転軸方向と同軸方向に基台上を移動自在であることを特徴とするディスプレイスタンド。
【請求項９】
請求項１乃至８のいずれか１つにおいて、
上記ディスプレイ保持部がディスプレイを着脱自在に保持する取付け手段を有することを特徴とするディスプレイスタンド。
【請求項１０】
請求項１乃至９のいずれか１つのディスプレイスタンドのディスプレイ保持部にディスプレイを保持してなることを特徴とするマルチディスプレイ。
【請求項１１】
請求項１０において、
ディスプレイが平面ディスプレイであることを特徴とするマルチディスプレイ。
【請求項１２】
請求項１０又は１１のマルチディスプレイを用い、ディスプレイを２以上接近離反して用いることを特徴とするマルチディスプレイの使用方法。
【請求項１３】
請求項１０又は１１のマルチディスプレイを少なくとも２以上用い、ディスプレイを集合させて大画面を構成することを特徴とするマルチディスプレイの使用方法。
【請求項１４】
請求項１０又は１１のマルチディスプレイを少なくとも２以上用い、ディスプレイ同士を接近又は隣接させることを特徴とするマルチディスプレイの使用方法。
【請求項１５】
請求項１０又は１１のマルチディスプレイを少なくとも２以上用い、角度を持った大画面を構成することを特徴とするマルチディスプレイの使用方法。
【発明の詳細な説明】
【０００１】
【発明の属する技術分野】
本発明は、ディスプレイを保持するディスプレイスタンド及びそれを用いたマルチディスプレイ並びにマルチディスプレイの使用方法に関する。
【０００２】
【従来の技術】
従来、図１９に示すように、液晶表示装置やＥＬ（エレクトロルミネセンス）表示装置などのいわゆるディスプレイ１は、基台２から立設した支持アーム３の頂部に設けた揺動軸受部４にディスプレイ支持部材５を介して取付けられており、通常机等の上に置いて使用している（特許文献１）。
また、公衆のためのディスプレイを表示するには壁等にフック等の取付け部材を介して直接取付けられているのが現状である。
【０００３】
【特許文献１】
特開平８−３１４３８６号公報
【０００４】
【発明が解決しようとする課題】
上述した従来の方法では、多数のディスプレイを用いて横置きの画面を構成する場合には、机の上にディスプレイスタンドを用いて並べる必要があり、机の有効利用ができない、という問題がある。
【０００５】
また、特許文献１のディスプレイスタンドを用いてマルチ画面を構成する場合には、ディスプレイを単に横並びの状態にさせることでしかマルチ画面を構成することしかできず、迫力感に乏しいものである。
【０００６】
また、壁面にディスプレイを取付けた場合には、その場所のみでしか表示内容をみることができないという、制約があり、自由な位置でマルチ画面をみることができない、という問題がある。
【０００７】
近年、ディスプレイで表示する態様は様々であり、所望の位置で所望のディスプレイ角度をもってマルチ画面を提供することができるマルチディスプレイの出現が所望されている。
【０００８】
以上述べた事情に鑑み、本発明は、マルチディスプレイを効率的に実現することができるディスプレイスタンド及びそれを用いたマルチディスプレイ及びその使用方法を提供することを目的とする。
【０００９】
【課題を解決するための手段】
前記課題を解決するため、第１の発明は、ディスプレイスタンド本体と、該ディスプレイスタンド本体に回動自在に取付けられ、ディスプレイを支持する支持アームと、該支持アームに所定間隔を持って配設され、ディスプレイを保持する少なくとも２以上のディスプレイ保持部と、からなることを特徴とするディスプレイスタンドにある。
【００１０】
第２の発明は、第１の発明において、上記ディスプレイスタンドが基台に立設されてなることを特徴とするディスプレイスタンドにある。
【００１１】
第３の発明は、第１の発明において、上記ディスプレイスタンドが移動自在の基台に立設されてなることを特徴とするディスプレイスタンドにある。
【００１２】
第４の発明は、第１乃至３のいずれか１つの発明において、上記ディスプレイ保持部が接近離反可能であることを特徴とするディスプレイスタンドにある。
【００１３】
第５の発明は、第１乃至４のいずれか１つの発明において、上記ディスプレイ保持部がジョイントアームを介して支持アームから支持されていることを特徴とするディスプレイスタンドにある。
【００１４】
第６の発明は、第１乃至５のいずれか１つの発明において、上記支持アームが回転軸を中心として鉛直軸方向に昇降自在であることを特徴とするディスプレイスタンドにある。
【００１５】
第７の発明は、第１乃至６のいずれか１つの発明において、上記支持アームが回転軸方向と同軸方向に移動自在であることを特徴とするディスプレイスタンドにある。
【００１６】
第８の発明は、第２乃至７のいずれか１つの発明において、上記ディスプレイスタンド本体が支持アームの回転軸方向と同軸方向に基台上を移動自在であることを特徴とするディスプレイスタンドにある。
【００１７】
第９の発明は、第１乃至８のいずれか１つの発明において、上記ディスプレイ保持部がディスプレイを着脱自在に保持する取付け手段を有することを特徴とするディスプレイスタンドにある。
【００１８】
第１０の発明は、第１乃至９のいずれか１つのディスプレイスタンドのディスプレイ保持部にディスプレイを保持してなることを特徴とするマルチディスプレイにある。
【００１９】
第１１の発明は、第１０の発明において、ディスプレイが平面ディスプレイであることを特徴とするマルチディスプレイにある。
【００２０】
第１２の発明は、第１０又は１１の発明のマルチディスプレイを用い、ディスプレイを２以上接近離反して用いることを特徴とするマルチディスプレイの使用方法にある。
【００２１】
第１３の発明は、第１０又は１１の発明のマルチディスプレイを少なくとも２以上用い、ディスプレイを集合させて大画面を構成することを特徴とするマルチディスプレイの使用方法にある。
【００２２】
第１４の発明は、第１０又は１１のマルチディスプレイを少なくとも２以上用い、ディスプレイ同士を接近又は隣接させることを特徴とするマルチディスプレイの使用方法にある。
【００２３】
第１５の発明は、第１０又は１１の発明のマルチディスプレイを少なくとも２以上用い、角度を持った大画面を構成することを特徴とするマルチディスプレイの使用方法にある。
【００２４】
【発明の実施の形態】
以下、本発明の内容を発明の実施形態により詳細に説明するが、本発明はこれに限定されるものではない。
【００２５】
以下、本発明の実施形態に係るディスプレイスタンドについて図面を参照しながら説明する。図１は本実施の形態のディスプレイスタンドの概略図であり、図１（ａ）は平面図、図１（ｂ）は正面図である。
図１に示すように、本実施の形態にかかるディスプレイスタンド１０は、ディスプレイスタンド本体１１と、該ディスプレイスタンド本体１１に図示しない回転手段により回転自在に取付けられ、ディスプレイを支持する支持アーム１２と、該支持アーム１２に所定間隔を持って配設され、ディスプレイを保持する少なくとも２以上（本実施の形態では３個）のディスプレイ保持部１３と、からなるものである。
【００２６】
上記ディスプレイスタンド本体１１は壁等に直接取付けるようにしてもよいが、本実施の形態では、移動手段１４を裏面に備えた基台１５から立設されており、移動自在としている。また、上記基台１５の上面１５ａにはディスプレイに映像を送信する手段であるサーバ等の周辺機器を載置するようにしてもよい。この際上面１５ａ側にサーバ等を固定する固定手段を設けるようにしてもよい。
【００２７】
また、基台１５の裏面側には、図２に示すように、移動手段１４と共に、アジャスター１６が設けられており、移動後の固定及び高さ調整を行うようにしている。本実施の形態では、上記アジャスター１６は基台１５の前壁面３０が支持アーム１２と同軸方向にスライド自在としており、アジャスター１６の調節により接地時の安定性を向上させるようにしている。
【００２８】
上記ディスプレイ保持部１３は支持アーム１２の軸方向に接近離反可能としており、後述するように、ディスプレイ保持部１３にディスプレイを保持した際に、接近離反可能としている。
【００２９】
また、本実施の形態では、図３に示すように、上記ディスプレイ保持部１３が多関節からなるジョイントアーム１７を介して支持アーム１２から支持されており、ディスプレイ１８を装着した際に、ディスプレイの仰角又は俯角を自在としている。
【００３０】
また、ディスプレイ保持部１３を支持アーム１２方向に調節し、ジョイントアーム１７の角度を合わせて調節することにより、ディスプレイ１８が当接する辺を密着させたまま角度を変えることができる。これにより大画面時の連続性が得られる。
【００３１】
また、支持アーム１２は回転軸方向と同軸方向に移動自在とするようにしてもよい。これにより、ディスプレイ１８を使用者側に近づけるようにすることもできる。
さらに、ディスプレイスタンド本体１１も基台１５上を持アーム１２の回転軸方向と同軸方向に移動自在とするようにしてもよい。これにより、ディスプレイスタンド本体１１と共に、ディスプレイ１８を使用者側に近づけるようにすることもできる。
【００３２】
上記ディスプレイ１８は平面型の画像表示用のディスプレイであることが好ましい。
【００３３】
また、本実施の形態では、図１（ｂ）及び図４に示すように、支持アーム１２がディスプレイスタンド１１の鉛直軸方向に昇降手段１９により昇降自在としており、任意の位置で支持アーム１２を固定することができる。なお、本実施の形態では昇降は昇降ハンドル１９ａを人力により操作することで支持アームを昇降自在としているが、本発明はこれに限定されるものではなく、モータ等の駆動手段を用いて自動的に昇降自在とするようにしてもよい。
【００３４】
また、本実施の形態では、この支持アーム１２の昇降をガイドするガイド溝２０がディスプレイスタンド１１に鉛直軸方向に２本設けて、その昇降をスムーズにガイドするようにしている。なお、本実施の形態ではガイド溝２０を２本設けているが、１本であってもよく、さらには、ガイド溝を用いることなく支持アーム１２を昇降自在とするようにしてもよい。
【００３５】
また、本実施の形態では、図５に示すように、上記ディスプレイ保持部１３には、上記ディスプレイ１８を着脱自在に取付ける取付け手段２２が設けられており、その着脱を容易とすると共に、保持時には確実に保持部１３にディスプレイ１８を保持するようにしている。本実施の形態では上記取付け手段２２はディスプレイ１８の裏面側に設けた雌型の枠体２３Ａと保持部１３側に設けた雄型の枠体２３Ｂからなり、雌型の枠体２３Ａの上部には切欠部２３ａを設けると共に、雄型の枠体２３Ｂの上部には上記切欠部２３ａに係合する凸部２３ｂが設けられており、解除手段２４の解除により、着脱自在としている。なお、取付け手段２２は上記構造に限定されるものではなく、ディスプレイを確実に着脱自在とするものであればいずれのものでもよい。
【００３６】
図６は上記ディスプレイスタンド１０のディスプレイ保持部１３にディスプレイ１８を取付けた状態である。本実施の形態ではディスプレイを３台設けるようにしており、図６（ａ）に示すように、中心のディスプレイ１８−２は平面状態とすると共に、その両脇のディスプレイ１８−１、１８−２が内側を向くようにジョイントアームにより調整している。これにより、画面を観る人が適宜調整することで迫力ある映像を楽しむことができる。
また、頭の位置を動かさずに適切な範囲の角度からディスプレイを見ることができる。
【００３７】
また、図８に示すように、支持アーム１２を９０度回転させて複数のディスプレイ１８を並べて縦置きとした場合には、上下の立体的な映像を楽しむことができる。特に、ディスプレイ１８−１、ディスプレイ１８−３は角度をもたせているので、臨場感が向上する。
【００３８】
また、本ディスプレイスタンドを用いると、様々なディスプレイ配置を提供することができる。以下、その一例について図面を参照して説明する。
【００３９】
図９に示すマルチディスプレイ１０Ａは、図６（ｂ）に示す状態からディスプレイ１８−１、１８−３を左右に離した状態である。
【００４０】
図１０に示すマルチディスプレイ１０Ｂは、図９に示す状態からディスプレイ１８−１、１８−２、１８−３を各々４５度傾けた状態である。
【００４１】
図１１に示すマルチディスプレイ１０Ｃは、図１０に示す状態からディスプレイ１８−１、１８−２、１８−３をさらに４５度傾けた状態であり、結果的には図９に示すマルチディスプレイ１０Ａの横画面のディスプレイ状態からディスプレイ画面１８−１、１８−２、１８−３を縦画面の状態としたものである。
【００４２】
図１２に示すマルチディスプレイ１０Ｄは、図１１のディスプレイ同士を密着させたものである。
【００４３】
図１３に示すマルチディスプレイ１０Ｅは、図１２のマルチディスプレイ１０Ｄにおいて、その回転中心を軸として回転させる状態を示している。
【００４４】
図１４に示すマルチディスプレイは、図８の縦画面とした３台のマルチディスプレイ１０−１、１０−２、１０−３を用い、所定間隔をもって配置したものである。
【００４５】
図１５に示すマルチディスプレイは、図１４に示す３台のマルチディスプレイ１０−１、１０−２、１０−３を密着させ、大画面を構成するようにしたものである。
【００４６】
図１６に示すマルチディスプレイは、図６（ｂ）に示すマルチディスプレイを３台並べると共に、そのディスプレイを密着させ、且つディスプレイに所定の角度をつけて、１８０度サラウンド状態を提供するようにしたものである。
【００４７】
図１７に示すマルチディスプレイは、図７に示す縦画面のマルチディスプレイ１０を複数台使用して使用者の周囲を３６０度取り囲むようにし、その中心に位置する使用者に臨場感のある視覚空間を提供するようにしたものである。
【００４８】
図１８に示すマルチディスプレイは、他の態様を示すものであり、ディスプレイスタンド本体を２本の支持柱とし、この支持柱に昇降手段を内蔵するようにして、支持アームを昇降自在としている。なお、本実施の形態では、サーバ３１を基台１５上に載置している。
【００４９】
このように本発明によれば、様々な使用態様に応じて使用者の望むような画面に表示することができる。よって、本発明のマルチディスプレイはオフィスでの使用のみならず、娯楽施設での使用、展示会場での使用、さらには産業用の監視用での使用に適用することもできる。
【００５０】
また、近年、医療分野におけるディスプレイによる診断及び手術にも適用することができる。とくに、内視鏡手術における内視鏡の撮影映像そのもの及びそれを画像処理した様々な画面を一度に任意の位置で表示することもできる。
【００５１】
なお、本発明では、ディスプレイスタンドとして説明したが、本発明はこれに限定されるものではなく、画像を表示するディスプレイ以外にも例えば展示物を展示する手段としてスタンドを使用するようにしてもよい。
【００５２】
【発明の効果】
以上述べてように、本発明によれば、ディスプレイスタンド本体と、該ディスプレイスタンド本体に回動自在に取付けられ、ディスプレイを支持する支持アームと、該支持アームに所定間隔を持って配設され、ディスプレイを保持する少なくとも２以上のディスプレイ保持部と、からなるので、該ディスプレイ保持部にディスプレイを取付けることにより、マルチ映像を自由に楽しめることができる。
【図面の簡単な説明】
【図１】本実施の形態にかかるディスプレイスタンドの概略図である。
【図２】ディスプレイスタンドの基台部分の概略図である。
【図３】ディスプレイスタンドの平面図である。
【図４】ディスプレイスタンドの側面図である。
【図５】ディスプレイの取付け状態図である。
【図６】ディスプレイスタンドにディスプレイを取付けた状態を示す正面図である。
【図７】ディスプレイスタンドにディスプレイを取付けた状態を示す側面図である。
【図８】マルチディスプレイを縦位置に配置した図である。
【図９】マルチディスプレイの使用態様図である。
【図１０】マルチディスプレイの使用態様図である。
【図１１】マルチディスプレイの使用態様図である。
【図１２】マルチディスプレイの使用態様図である。
【図１３】マルチディスプレイの使用態様図である。
【図１４】マルチディスプレイの使用態様図である。
【図１５】マルチディスプレイの使用態様図である。
【図１６】マルチディスプレイの使用態様図である。
【図１７】マルチディスプレイの使用態様図である。
【図１８】他のディスプレイスタンドの斜視図である。
【図１９】従来技術にかかるディスプレイの概略図である。
【符号の説明】
１０  ディスプレイスタンド
１１  ディスプレイスタンド本体
１２  支持アーム
１３  ディスプレイ保持部
１４  移動手段
１５  基台
１６  アジャスター
１７  ジョイントアーム
１８  ディスプレイ
【図１】
2004191601.tif 000003
【図２】
2004191601.tif 000004
【図３】
2004191601.tif 000005
【図４】
2004191601.tif 000006
【図５】
2004191601.tif 000007
【図６】
2004191601.tif 000008
【図７】
2004191601.tif 000009
【図８】
2004191601.tif 000010
【図９】
2004191601.tif 000011
【図１０】
2004191601.tif 000012
【図１１】
2004191601.tif 000013
【図１２】
2004191601.tif 000014
【図１３】
2004191601.tif 000015
【図１４】
2004191601.tif 000016
【図１５】
2004191601.tif 000017
【図１６】
2004191601.tif 000018
【図１７】
2004191601.tif 000019
【図１８】
2004191601.tif 000020
【図１９】
2004191601.tif 000021